(57)【要約】【課題】  電子機器に対してユーザが要望する機能を有する変更機器を接続したとき、それらの機能をしめす機種名を表示して機能の把握を容易にする。【解決手段】  表示部１１は、電子的に画像が視覚表示されるとともに電源が切られても当該表示状態が保持する。記憶部７は、電子機器１３に接続可能な変更機器Ａ〜Ｃの固有識別符号を予め記憶する。表示制御部１は、接続された外部装置Ａ〜Ｃに係る固有識別符号を記憶部７から検索し、固有識別符号を有する機種名を作成するとともに表示部１１に書き込み、視覚的に表示制御する。【選択図】  図１
2009110340.tif 000002
【特許請求の範囲】
【請求項１】
電子的に画像が視覚表示されるとともに電源が切られても当該表示状態が保持される表示部と、
少なくとも当該電子機器の基本構成を変更するために接続可能な変更機器の固有識別符号を予め記憶した記憶部と、
接続された前記変更機器に係る前記固有識別符号を前記記憶部から検索し組合せて前記表示部に書き込んで視覚的に表示制御する表示制御部と、
を具備することを特徴とする電子機器の表示装置。
【請求項２】
前記記憶部は当該電子機器の基本構成を示す基本識別符号を予め記憶し、前記表示制御部は前記基本識別符号に前記固有識別符号を組合わせて前記表示部に表示制御する請求項１記載の電子機器の表示装置。
【請求項３】
前記変更機器が当該電子装置に接続されたか否かを検出する接続検出部を有し、前記表示制御部は前記接続検出部が前記変更機器を検出したとき当該変更機器の前記固有識別符号を前記記憶部から検索して前記表示部に表示制御する請求項１又は２記載の電子機器の表示装置。
【請求項４】
前記変更機器が当該電子装置に接続されるとともに接続された当該変更機器からの固有情報を通信入力する通信部を有し、前記表示制御部は入力された前記固有情報に該当する前記固有識別符号を前記記憶部から検索して前記表示部に表示制御する請求項１〜３いずれか１記載の電子機器の表示装置。
【請求項５】
当該電子装置に接続される前記変更機器に係る固有情報の入力を受ける操作入力部を有し、前記表示制御部は入力された前記固有情報に該当する前記固有識別符号を前記記憶部から検索して前記表示部に表示制御する請求項１〜４いずれか１記載の電子機器の表示装置。
【発明の詳細な説明】
【技術分野】
【０００１】
本発明は電子機器の表示装置に係り、例えば複合機（ＭＦＰ：Multi Function Peripheral）やコンピュータ等の電子機器に適用して好適な表示装置の改良に関する。
【背景技術】
【０００２】
一般に、複合機その他電子機器では、当該電子装置の製造メーカ名、当該機器の機種名（モデル名）等を表示した銘板、いわゆるエンブレムを外周に配置することが広く行われている。
【０００３】
ところが、それら電子機器は、自社製品として製造販売する以外に、相手先ブランド名で製造販売する場合、機能拡張用機器をオプション接続する場合があるうえ、仕向地向けに種々の表示が必要となる場合もあり、種々のエンブレムを予め用意し、包装して供給する必要があって不経済であった。
【０００４】
そこで、例えば特開２００６−５８６８９号公報（特許文献１）に示すようなエンブレム収納部や電子機器が提供されている。
【０００５】
この特許文献１は、ブランド名や商品名を含む情報が記載されたエンブレムやエンブレムの外観品質を向上するために装着されるエンブレムカバーが、工場からの出荷時は製品に装着されずに同梱され、生産工場とは異なる場所で製品に装着されるエンブレム構体において、同梱されるそれらエンブレムやエンブレムカバーを複数枚収納可能な収納部を備え、エンブレムやエンブレムカバーを製品自体に収納可能に構成し、それらの個別包装等を不要にしたものである。
【特許文献１】特開２００６−５８６８９号公報
【発明の開示】
【発明が解決しようとする課題】
【０００６】
しかしながら、上述した特許文献１では、依然として対応するモデルやブランド名の数だけエンブレムを複数用意する必要があるし、エンブレムを紛失する心配もあるうえ、エンブレムを収納するのに十分な寸法の開閉カバーを設けられない小型の電子機器にあっては機器の大形化を招き易く、作業も面倒である。
【０００７】
さらに、電子機器においては、基本となる本体機能が全く同じで、外部装置をオプション追加することで機能を拡張する場合が多々あり、追加された外部装置の組み合わせで機種名を表示できれば、機種名から機器の仕様が分かり易く、サービスやメンテナンスへの対応が迅速化できる利点がある。
【０００８】
このような場合、機種名を変えるためカバーに印刷を行ったりラベルを貼り付けると、製造元側では発注から納期までの時間が長引いて改善が求められていたし、特許文献１では対応困難であった。
【０００９】
本発明はそのような課題を解決するためになされたもので、機種名からユーザが要望する機能等が分かり易く、簡単に、その機種名の作成や変更が可能な電子機器の表示装置の提供を目的とする。
【課題を解決するための手段】
【００１０】
そのような課題を解決するために本発明に係る電子機器の表示装置は、電子的に画像が視覚表示されるとともに電源が切られても当該表示状態が保持される表示部と、少なくとも当該電子機器の基本構成を変更するために接続可能な変更機器の固有識別符号を予め記憶した記憶部と、接続された変更機器に係る固有識別符号をその記憶部から検索し組合わせて表示部に書き込んで視覚的に表示制御する表示制御部とを具備している。
【００１１】
本発明の電子機器の表示装置では、上記記憶部が当該電子機器の基本構成を示す基本識別符号を予め記憶し、上記表示制御部はその基本識別符号に上記固有識別符号を組合わせてその表示部に表示制御する構成も可能である。
【００１２】
本発明の電子機器の表示装置では、上記変更機器が当該電子装置に接続されたか否かを検出する接続検出部を有し、上記表示制御部がその接続検出部が変更機器を検出したとき当該変更機器の固有識別符号をその記憶部から検索して表示制御する構成も可能である。
【００１３】
本発明の電子機器の表示装置では、上記変更機器が当該電子装置に接続されるとともに接続された当該変更機器からの固有情報を通信入力する通信部を有し、上記表示制御部が入力されたその固有情報に該当する固有識別符号をその記憶部から検索して表示制御する構成も可能である。
【００１４】
本発明の電子機器の表示装置では、当該電子装置に接続される変更機器に係る固有情報の入力を受ける操作入力部を有し、上記表示制御部が入力された固有情報に該当する固有識別符号をその記憶部から検索して表示制御する構成も可能である。
【発明の効果】
【００１５】
このような本発明に係る電子機器の表示装置では、当該電子機器に変更機器が接続されると、表示制御部がその変更機器に係る固有識別符号を記憶部から検索して表示制御するから、ユーザの要望によって接続された変更機器に係る固有識別符号がその表示部に視覚的に表示されるとともに電源が切られても当該表示状態が保持され、機種名からユーザの要望する機能等が分かり易く、その機種名の作成や変更も容易である。
【００１６】
本発明の電子機器の表示装置において、上記記憶部が当該電子機器の基本構成を示す基本識別符号を予め記憶し、上記表示制御部はその基本識別符号に上記固有識別符号を組合わせてその表示部に表示制御する構成では、変更機器を接続した当該電子機器全体の機能把握が可能である。
【００１７】
本発明の電子機器の表示装置において、上記変更機器が当該電子装置に接続されたか否かを検出する接続検出部を有し、上記表示制御部がその接続検出部が変更機器を検出したとき当該変更機器の固有識別符号をその記憶部から検索して表示制御する構成では、単に、変更機器を電子装置に接続しただけで、自動的に機能把握が可能である。
【００１８】
本発明の電子機器の表示装置において、上記変更機器が当該電子装置に接続されるとともに接続された当該変更機器からの固有情報を通信入力する通信部を有し、上記表示制御部が入力されたその固有情報に該当する固有識別符号をその記憶部から検索して表示制御する構成では、単に、変更機器を電子装置に接続しただけで、自動的に機能把握が可能である。
【００１９】
本発明の電子機器の表示装置において、当該電子装置に接続される変更機器に係る固有情報の入力を受ける操作入力部を有し、上記表示制御部が入力された固有情報に該当する固有識別符号をその記憶部から検索して表示制御する構成では、変更機器を電子装置に接続して自動的に固有情報が取り込まれなくとも、機能把握が可能である。
【発明を実施するための最良の形態】
【００２０】
以下、本発明の実施の形態を図面を参照して説明する。
図１は本発明に係る電子機器の表示装置の実施の形態を画像形成装置に搭載した状態で示す概略ブロック図である。
【００２１】
図１において、本発明に係る表示装置は、主制御部１を中心にして接続検出部３、通信部５、記憶部７、操作パネル部９および表示部１１を有して構成され、画像形成装置１３例えば複合機の一部を構成している。主制御部１は、接続検出部３、通信部５、記憶部７、操作パネル部９および表示部１１を制御するものであるが、詳細は後述する。
【００２２】
画像形成装置１３には、この電子機器の基本構成を拡張変更するための変更機器、例えば、外部装置Ａとして多数の封筒を供給する封筒フィーダ、外部装置Ｂとしてパンチやステッピング等の後処理用フィニッシャー、外部装置Ｃとして外部記憶用ＩＣメモリカード等が着脱自在に接続可能になっている。画像形成装置１３にはコンピュータ１５も接続されるが、この詳細は後述する。
【００２３】
接続検出部３は、外部装置Ｂとしてのフィニッシャーが接続されたか否か検出する例えば機械的なオンオフスイッチであり、画像形成装置１３に外部装置Ｂが接続されたとき、この接続オン信号（検出信号）を接続検出部３の固有情報として主制御部１に出力する機能を有している。
【００２４】
画像形成装置１３と外部装置Ｂとの電子的な接続は、図示しないコネクタによって別途なされる。外部装置Ａと画像形成装置１３との電子的な接続も、同様に、図示しないコネクタによってなされる。
【００２５】
通信部５は、外部装置ＣとしてＩＣメモリカードが接続されるものであり、外部装置Ｃを識別する固有ＩＤ等の固有情報を主制御部１に入力する他、外部装置Ｃと主制御部１との間で送受信する種々のデータを入出力する機能を有している。
【００２６】
記憶部７は、主制御部１の制御の下、当該画像形成装置１３の基本構成を変更するために接続可能な外部装置Ａ〜Ｃの機能を示す各固有識別符号をテーブル状にまとめた管理データを予め記憶する他、画像データ、主制御部１の動作プログラムを格納する例えばハードディスク（ＨＤＤ）等である。
【００２７】
管理データは、例えば図２に示すように、画像形成装置１３に係る基本識別符号（１２３−４５６）に対して外部装置Ａに係る固有識別符号が「ａ」であり、外部装置Ｂに係る固有識別部号が「ｂ」、外部装置Ｃに係る固有識別符号が「ｃ」であるとした一覧であり、後述する操作パネル部９等から設定変更が可能である。
【００２８】
操作パネル部９は、例えば図３に示すように、装置本体ケース１７の上部に配置され、主制御部１の制御の下、画像形成装置１３の動作状態を表示する例えば液晶タイプの表示パネル等と、この表示パネルに重ねられ、画像形成の開始や終了、画像形成に係る設定の他、上述した管理データの設定変更、更に、外部装置Ａの固有情報を受付けるタッチスイッチ入力部を有している。すなわち、操作パネル部９は、外部装置Ａの固有情報を受付ける操作入力部としての機能を有している。
【００２９】
図１に戻って、表示部１１は、電子泳動方法や帯電粒子を用いたいわゆる電子ペーパからなるエンブレムであり、駆動電源を印加して視覚的な画像表示状態を形成した後に電源を遮断してもその表示状態が保持され、駆動電源を印加して画像表示状態を変更して再利用可能な機能を有し、主制御部１によって読み書き制御され、上述した図３中の本体ケース１７の上部に配置されている。
【００３０】
コンピュータ１５は、画像形成装置１３にネットワーク１９を介して接続された従来公知のものであり、例えば上述した外部装置Ａに係る固有情報をキーボード１５ａから入力して画像形成装置１３の主制御部１に出力する機能を有している。すなわち、キーボード１５ａも、外部装置Ａに係る固有情報の入力を受ける操作入力部としての機能を有している。
【００３１】
なお、コンピュータ１５は種々の機能を有するが、本発明の要部ではないので詳細な説明および図示を省略する。
【００３２】
主制御部１は、ＣＰＵ、このＣＰＵの動作プログラムを格納したメモリ部、入出力インターフェース（いずれも図示せず。）を有し、接続検出部３、通信部５、記憶部７、操作パネル部９および表示部１１を制御し、それらの機能の一部を担う他、以下の機能を有している。
【００３３】
すなわち、主制御部１は、操作パネル部９からの入力指示に基づき、記憶部７に記憶した管理データを作成および変更制御する管理機能を有するとともに、当該画像形成装置１３に接続された外部装置Ａ〜Ｃに係る固有識別符号を記憶部７から検索し、当該画像形成装置１３の基本識別符号に外部装置Ａ、Ｂ、Ｃの固有識別符号を組合せて機種名を作成し、これを表示部１１に書き込んで視覚的に表示制御する表示制御部として機能している。
【００３４】
主制御部１は、外部装置Ｂが当該画像形成装置１３に接続されたと接続検出部３が検出したとき、接続検出部３に該当する固有情報を外部装置Ｂのものとして対応する固有識別符号を記憶部７から検索し、基本識別符号にそれを組合せ、例えば「１２３−４５６−ｂ」といった機種名を形成して表示部１１に表示制御し、外部装置Ｃが当該画像形成装置１３に接続されると、通信部５からの外部装置Ｃに係る固有情報に基づき、外部装置Ｃに係る固有識別符号を記憶部７から検索して基本識別符号と組合せ、例えば「１２３−４５６−ｃ」といった機種名を形成して表示部１１に表示制御する。
【００３５】
主制御部１は、外部装置Ａが当該画像形成装置１３に接続され、操作パネル部９又はコンピュータ１５からの外部装置Ａに係る固有情報に基づき、外部装置Ａに係る固有識別符号を記憶部７から検索して基本識別符号と組合せ、例えば「１２３−４５６−ａ」といった機種名を形成して表示部１１に表示制御する。
【００３６】
主制御部１は、当該画像形成装置１３への外部装置Ａ〜Ｃの接続態様に従って「１２３−４５６−ａｂ」、「１２３−４５６−ｂｃ」、「１２３−４５６−ａｂｃ」のような識別符号を形成し、表示部１１に表示制御する（後述する図４参照）。
【００３７】
画像形成装置１３には、主制御部１の制御の下、印刷された原稿から画像を光学的に読み込んで電子的画像データを印刷ジョブとして生成する公知のスキャナ、印刷用紙に画像データを印刷して排紙する白黒又はカラー印刷する印刷部を有するが、公知のものであるから詳細な説明および図示は省略する。
【００３８】
次に、このような本発明の表示装置の動作を説明する。
まず、画像形成装置１３に外部装置Ａが接続された場合を説明する。
外部装置Ａが接続された場合、自動的に外部装置Ａに係る固有情報が主制御部１に取込まれないので、操作パネル部９又はコンピュータ１５のキーボード１５ａから外部装置Ａに係る固有情報を入力して画像形成装置１３の主制御部１に出力すると、主制御部１がその固有情報に基づき外部装置Ａに係る固有識別符号を記憶部７から検索し、基本識別符号と組合せ、図４Ｂのような「１２３−４５６−ａ」といった機種名を形成して表示部１１に表示制御する。なお、外部装置Ａ〜Ｃが接続されない場合の機種名は図４Ａのようになる。
【００３９】
次に、画像形成装置１３に外部装置Ｂが接続された場合を説明する。
画像形成装置１３に外部装置Ｂが接続されると、接続検出部３が外部装置Ｂの検出信号を主制御部１に出力するから、主制御部１が検出信号を固有情報として外部装置Ｂに係る固有識別符号を記憶部７から検索し、基本識別符号と組合せて「１２３−４５６−ｂ」といった機種名を形成して表示部１１に表示制御する。
【００４０】
さらに、画像形成装置１３に外部装置Ｃが接続された場合を説明する。
画像形成装置１３に外部装置Ｃが接続されると、通信部５から外部装置Ｃの固有情報が主制御部１に出力され、主制御部１がその固有情報に基づき外部装置Ｃに係る固有識別符号を記憶部７から検索し、基本識別符号と組合せ「１２３−４５６−ｃ」といった機種名を形成して表示部１１に表示制御する。
【００４１】
そして、画像形成装置１３に外部装置Ａ〜Ｃの接続態様に応じて、「１２３−４５６−ａｂ」、「１２３−４５６−ｂｃ」、又は図４Ｃのような「１２３−４５６−ａｂｃ」といった機種名が表示部１１に表示される。
【００４２】
なお、図４では、画像形成装置１３に接続された外部装置Ａ〜Ｃの名称や製造販売元のメーカ名を含めた画像が表示されている。
【００４３】
このような本発明の電子機器の表示装置では、電子的に画像が視覚表示されるとともに電源が切られても当該表示状態が保持される表示部１１と、画像形成装置（電子機器）１３の基本構成を示す基本識別符号と当該画像形成装置１３の基本構成を変更するために接続可能な外部装置（変更機器）Ａ〜Ｃの固有識別符号とを予め記憶した記憶部７と、その基本識別符号および接続された外部装置Ａ〜Ｃに係る固有識別符号とを記憶部７から検索し、その基本識別符号に固有識別符号を組合わせて機種名を作成して表示部１１に書き込み、視覚的に表示制御する主制御部（表示制御部）１とを具備している。
【００４４】
そのため、ユーザの要望によって接続された外部装置Ａ〜Ｃに係る固有識別符号を含む機種名が作成されて表示部１１に視覚的に表示され、電源が切られても当該表示状態が保持されるうえ、新たに外部装置Ａ〜Ｃが増設されたり取り外されると、これに従った機種名に変更されるから、機種名に基づきユーザの要望する機能等が分かり易く、その機種名の作成や変更も容易である。
【００４５】
また、外部装置Ｂが接続検出部３を介して当該画像形成装置１３に接続されたとき、主制御部１がその接続検出部３に係る固有情報から当該外部装置Ｂの固有識別符号を記憶部７から検索して機種名を作成表示制御するから、単に、外部装置Ｂを画像形成装置１３に接続しただけで自動的に機種名の作成表示が可能で、機能の把握が容易となる。
【００４６】
さらに、外部装置が通信部５を介して当該画像形成装置１３に接続されたとき、主制御部１がその固有情報に該当する固有識別符号を記憶部７から検索して機種名を作成表示制御するから、単に、外部装置Ｃを画像形成装置１３に接続しただけで、自動的に機種名機能の作成表示が可能で、機能の把握が容易となる。
【００４７】
さらにまた、画像形成装置１３に接続される外部装置Ａに係る固有情報の入力を受ける操作入力部を有し、入力された固有情報に該当する固有識別符号を主制御部１が記憶部７から検索して機種名を作成表示制御するから、外部装置Ａを画像形成装置１３に接続して固有情報が取り込まれなくとも、当該外部装置Ａ〜Ｃ機能の把握が可能である。
【００４８】
ところで、本発明の表示装置においては、必ずしも画像形成装置１３の基本識別符号に外部装置Ａ〜Ｃの固有識別符号とを組合わせて表示部１１に表示する構成に限らず、少なくとも接続された外部装置Ａ〜Ｃの固有識別符号とを組合わせて表示部１１に表示すれば、本発明の目的達成が可能であるが、画像形成装置１３の基本識別符号に外部装置Ａ〜Ｃの固有識別符号とを組合わせて機種名として表示すれば、当該画像形成装置１３全体の機能把握が可能である。
【００４９】
また、本発明の表示装置は、画像形成装置１３に限らず、複合機、ファクシミリ機、コンピュータその他電子機器において搭載実施すれば、本発明の効果が得られるし、接続する外部機器Ａ〜ＣもフィニッシャーやＩＣメモリカードに限らず、内蔵又は外部接続する種々の電子機器において実施可能である。
【００５０】
しかも、それら接続機器は、画像形成装置１３の基本構成を拡張する拡張機器に限らず、画像形成装置１３の基本構成を変更するために接続される変更機器であれば良い。
【図面の簡単な説明】
【００５１】
【図１】本発明に係る表示装置の実施の形態を画像形成装置とともに示す概略ブロック図である。
【図２】本発明の表示装置における管理データ例を示す図である。
【図３】本発明の表示装置を搭載した画像形成装置の外観を説明する外観図である。
【図４】本発明の表示装置における表示態様を説明する図である。
【符号の説明】
【００５２】
１  主制御部（表示制御部）
３  接続検出部
５  通信部
７  記憶部
９  操作パネル部（操作入力部）
１１  表示部（エンブレム）
１３  画像形成装置（電子機器）
１５  画像処理装置（コンピュータ）
１５ａ  キーボード（操作入力部）
１７  本体ケース
１９  ネットワーク
Ａ、Ｂ、Ｃ  外部装置（変更機器）
【図１】
2009110340.tif 000003
【図２】
2009110340.tif 000004
【図３】
2009110340.tif 000005
【図４】
2009110340.tif 000006